【手続補正書】
【提出日】平成19年1月25日(2007.1.25)
【手続補正１】
【補正対象書類名】明細書
【補正対象項目名】特許請求の範囲
【補正方法】変更
【補正の内容】
【特許請求の範囲】
【請求項１】
表面を持つ第１のアーティクルと；
表面を持つ第２のアーティクルと；
神経変性疾病凝集体形成または原繊維形成種を結合可能な複数の結合種と；
を含むキットであり、
前記結合種の少なくとも一部が、第１のアーティクルの表面に固定されている、または固定されるように改変され、前記結合種の少なくとも一部が、第２のアーティクルの表面に固定されている、または固定されるように改変されており、
第１のアーティクルまたは第２のアーティクルの少なくとも１つが、溶液に懸濁可能なアーティクルである、上記キット。
【請求項２】
神経変性疾病凝集体形成または原繊維形成種を結合可能な結合種と；
結合種に対して固定化された電子信号伝達エンティティと；
を含む組成物。
【請求項３】
アーティクルであって：
前記アーティクルの表面と；
前記表面に固定された神経変性疾病凝集体形成または原繊維形成種を結合可能な結合種と；
表面に固定された信号伝達エンティティと；
を含む、上記アーティクル。
【請求項４】
ＳＰＲアーティクルではない、表面を持つ、溶液に懸濁可能なアーティクルと；
神経変性疾病凝集体形成または原繊維形成種を結合可能な複数の結合種と；
を含むキットであり、
前記結合種の少なくとも一部が前記表面に固定されている、または固定されるように改変されているキット。
【請求項５】
表面を持つ、溶液に懸濁可能なアーティクルと；
神経変性疾病凝集体形成または原繊維形成種を結合可能な複数の結合種と；
を含むキットであり、
前記結合種の少なくとも一部が前記表面に固定されている、または固定されるように改変されており、前記表面が凝集体形成または原繊維形成種の非特異性結合を実質的に阻害する化学機能性を備えているキット。
【請求項６】
神経変性疾病原繊維または凝集体と、
前記原繊維または凝集体に対して固定化された少なくとも２個の粒子と；
を含む系。
【請求項７】
神経変性疾病凝集体形成または原繊維形成種に対してそれぞれ固定化された少なくとも２個の粒子を含む、系。
【請求項８】
金属を配位できる部分に固定された神経変性疾病凝集体形成または原繊維形成種を結合可能な結合種を含む、組成物。
【請求項９】
第１の表面と、前記表面に固定されている、または固定されるように改変された神経変性疾病凝集体形成または原繊維形成種を結合可能な複数の結合種とを備えた、溶液に懸濁可能なアーティクルを供給することと；
前記第１の表面を神経変性疾病凝集体形成または原繊維形成種を含むと考えられるサンプルに曝露することと；
を含む方法。
【請求項１０】
神経変性疾病凝集体形成または原繊維形成種を含むサンプル中で神経変性疾病凝集体または原繊維を形成することと；
前記凝集体または原繊維を、表面と、凝集体、原繊維、凝集体形成種または原繊維形成種を結合可能な複数の結合種とを備えた、溶液に懸濁可能なアーティクルに曝露することと；
を含む方法であって、
前記結合種が前記アーティクルの表面に固定されている、または固定されるように改変された方法。
【請求項１１】
第１のアーティクルの表面に固定されている、または固定されるように改変された、神経変性疾病凝集形成または原繊維形成種ではないが、神経変性疾病凝集形成または原繊維形成種を結合可能な結合種を供給することと；
前記結合種を神経変性疾病凝集体形成または原繊維形成種に変換すること
と；
を含む方法。
【請求項１２】
神経変性疾病凝集形成または原繊維形成種ではないが、神経変性疾病凝集形成または原繊維形成種を結合可能な結合種を供給することと；
前記結合種を神経変性疾病凝集形成または原繊維形成種と相互作用させることによって、神経変性疾病凝集形成または原繊維形成種に変換し、神経変性疾病凝集形成または原繊維形成種の存在時の凝集特性に関与させることと；
神経変性疾病凝集形成または原繊維形成種の存在時の凝集特性を検出することと；
を含む方法。
【請求項１３】
神経変性疾病凝集形成または原繊維形成種を結合可能で、アーティクルの表面に固定されている、または固定されるように改変された結合種を供給することと；
随意に前記結合種を前記アーティクルの表面に固定させることと；
前記結合種を神経変性疾病凝集形成または原繊維形成種に変換せずに、神経変性疾病凝集形成または原繊維形成種に結合させることと、
第２のアーティクルの表面に固定されている、または固定されるように改変された第２の結合種を、前記凝集形成または原繊維形成種に結合させることと；
を含む方法。
【請求項１４】
結合種がペプチドである、上述の請求項のいずれかに記載のキット、方法、組成物、系またはアーティクル。
【請求項１５】
結合種がタンパク質である、請求項１〜５のいずれかに記載のキット、方法、組成物、系またはアーティクル。
【請求項１６】
結合種がタンパク質からの配列である、請求項１〜５のいずれかに記載のキット、方法、組成物、系またはアーティクル。
【請求項１７】
結合種が小規模の分子である、請求項１〜５のいずれかに記載のキット、方法、組成物、系またはアーティクル。
【請求項１８】
小規模の分子がコンゴレッドまたはチオフラビンＴである、請求項１７に記載のキット。
【請求項１９】
結合種が凝集形成または原繊維種に対する抗体である、請求項１〜５のいずれかに記載のキット、方法、組成物、系またはアーティクル。
【請求項２０】
結合種が神経変性原繊維または凝集体を結合可能である、請求項１に記載のキット、方法、組成物、系またはアーティクル。
【請求項２１】
結合種が複数の神経変性疾病原繊維または凝集体に結合した複数のアーティクルを含むマクロ構造を形成可能である、請求項２０に記載のキット。
【請求項２２】
結合種が神経変性疾病に特徴的な凝集を持つタンパク質である、上述の請求項のいずれかに記載のキット、組成物、アーティクル、系または方法。
【請求項２３】
結合種がベータアミロイドタンパク質、アミロイドタンパク質、Ｔａｕ、シンヌクレイン、ＰｒＰＣＪＤ、ＰｒＰＢＳＥ、ＰｒＰＳｃｒａｐｉｃ、およびそのフラグメントならびに融合物である、上述の請求項のいずれかに記載のキット、組成物、アーティクル、系または方法。
【請求項２４】
タンパク質、フラグメントまたは融合物が凝集体結合、凝集体形成耐性である、上述の請求項のいずれかに記載のキット、組成物、アーティクル、系または方法。
【請求項２５】
アーティクルが溶液に懸濁可能で、単離可能な粒子である、請求項１−５に記載のキット。
【請求項２６】
アーティクルがコロイド粒子である、請求項２５に記載のキット。
【請求項２７】
アーティクルが金コロイド粒子である、請求項２６に記載のキット。
【請求項２８】
アーティクルがＳＰＲチップである、請求項１−５に記載のキット。
【請求項２９】
少なくとも一部の結合種に固定されている、または固定されるように改変された粒子をさらに含む、請求項２２に記載のキット。
【請求項３０】
少なくとも一部の結合種に固定されている、または固定されるように改変された粒子をさらに含む、請求項１−５に記載のキット。
【請求項３１】
アーティクルが粒子であり、キットがさらに少なくとも一部の結合種に固定されている、または固定されるように改変された追加の粒子をさらに含む、請求項１−５に記載のキット。
【請求項３２】
表面に固定されている、または固定されるように改変された結合種が金属結合タグ／金属／キレート結合によって表面に固定可能である、請求項１−５に記載のキット。
【請求項３３】
表面が、表面に対して固定化された金属を配位しているキレートを持ち、結合種がポリアミノ酸タグによって誘導体化される、請求項３２に記載のキット。
【請求項３４】
表面が、表面に対して固定化された金属を配位しているキレートを持ち、結合種がヒスチジンタグによって誘導体化される、請求項３２に記載のキット。
【請求項３５】
表面に固定されている、または固定されるように改変された結合種が相補核酸配列対によって表面に固定可能である、請求項１−５に記載のキット。
【請求項３６】
結合種が末端システインを持ち、それにより表面に固定されている、請求項１−５に記載のキット。
【請求項３７】
少なくとも一部の結合種に固定された複数の粒子を含むキットであり、
表面以外に固定化された補助凝集体形成または原繊維形成種がない場合に、補助凝集体または原繊維形成種が存在しない場合の凝集を補助凝集体または原繊維形成種が存在する場合の凝集と比較可能な時間内に、粒子上または粒子曝露時の粒子凝集が十分に阻害される低い表面濃度において、結合種が粒子の表面に対して固定化されている、請求項３０に記載のキット。
【請求項３８】
神経変性疾病を阻害する候補薬剤をさらに含む、請求項３１に記載のキット。
【請求項３９】
表面に自己集合単層を持つ、請求項３−５に記載のキット。
【請求項４０】
自己集合単層がコロイド／コロイド自己凝集を阻害する種を含む、請求項３９に記載のキット。
【請求項４１】
自己集合単層が荷電部分を含む、請求項４０に記載のキット。
【請求項４２】
自己集合単層がカルボキシ末端種を含む、請求項４０に記載のキット。
【請求項４３】
荷電部分がニトリロトリ酢酸、２，２−ビス（サリチリデンアミノ）−６，６−デメチルジフェニル、または１，８−ビス（ａ−ピリジル）−３，６−ジチアオクタンを含む、請求項４１に記載のキット。
【請求項４４】
荷電部分がニトリロトリ酢酸を含む、請求項４３に記載のキット。
【請求項４５】
自己集合単層がオリゴヌクレオチドを含む、請求項３９に記載のキット。
【請求項４６】
自己集合単層がＤＮＡ部分を含む、請求項４５に記載のキット。
【請求項４７】
自己集合単層が荷電ペプチドを含む、請求項３９に記載のキット。
【請求項４８】
自己集合単層が界面活性剤を含む溶液より表面上に付着した、請求項３９に記載のキット。
【請求項４９】
自己集合単層がカルボン酸塩を含む溶液より表面上に付着した、請求項３９に記載のキット。
【請求項５０】
自己集合単層がコロイド粒子自体の形成中以外に表面に付着した、請求項３９に記載のキット。
【請求項５１】
自己集合単層が流体中に懸濁状態に保たれた表面に付着し、粒子が流体−流体界面に存在しない、請求項３９に記載のキット。
【請求項５２】
自己集合単層が、結合種をさらに含む混合自己集合単層である、請求項３９に記載のキット。
【請求項５３】
結合種が末端システインを持つペプチドであり、表面が金である、請求項１および３−５に記載のキット。
【請求項５４】
結合種が神経変性疾病凝集体形成または原繊維形成種ではない、上述のいずれかの請求項に記載のキット、方法、組成物、系またはアーティクル。
【請求項５５】
結合種が他の結合種を神経変性疾病凝集体形成または原繊維形成種に変換することができない、請求項５３に記載のキット、方法、組成物、系またはアーティクル。
【請求項５６】
結合種が神経変性疾病凝集体形成または原繊維形成種によって凝集体形成または原繊維形成種に変換される、上述のいずれかの請求項に記載のキット、方法、組成物、系またはアーティクル。
【請求項５７】
凝集体形成または原繊維形成種に変換された結合種が、他の結合種を凝集体形成または原繊維形成種に変換可能である、請求項５６に記載のキット、方法、組成物、系またはアーティクル。
【請求項５８】
金属を配位可能な部分がポリアミノ酸タグを含む、請求項８に記載の組成物。
【請求項５９】
金属を配位可能な部分がヒスチジンタグを含む、請求項８に記載の組成物。
【請求項６０】
結合種が金属を配位可能な部分にＮ−末端で固定されたペプチドである、請求項２０に記載の組成物。
【請求項６１】
アーティクルの表面に対して固定化された金属を配位可能な部分をさらに含む、請求項２６に記載のキット。
【請求項６２】
結合種が少なくとも１個のキレート、カルボン酸塩基、ｎ−ヒドロキシ−スクシンイミド、核酸配列、グルタチオニン、ビオチン、ストレプトアビジン、またはそのフラグメントによって表面に固定されている、または固定されるように改変された、請求項１−５に記載のキット。
【請求項６３】
溶液に懸濁可能で、単離可能な粒子の断面がいずれの方向でも２５０ｎｍを超えない、請求項２５に記載のアーティクル。
【請求項６４】
溶液に懸濁可能で、単離可能な粒子の断面がいずれの方向でも１００ｎｍを超えない、請求項２５に記載のアーティクル。
【請求項６５】
コロイド粒子および
金属を配位可能な部分を含む該粒子の表面上の自己集合単層
を含む、請求項６１に記載のアーティクル。
【請求項６６】
自己集合単層がキレートを含む、請求項６５に記載のアーティクル。
【請求項６７】
自己集合単層がニトリロトリ酢酸、２，２−ビス（サリチリデンアミノ）−６，６−デメチルジフェニル、または１，８−ビス（ａ−ピリジル）−３，６−ジチアオクタンを含む、請求項６６に記載のアーティクル。
【請求項６８】
自己集合単層が、自己集合単層形成種を含む混合自己集合単層であり、すべてでなく一部の自己集合単層形成種が金属を配位可能な部分を含む、請求項６５に記載のアーティクル。
【請求項６９】
信号伝達エンティティをさらに含む、請求項６１に記載のアーティクル。
【請求項７０】
複数の信号伝達エンティティを含む、請求項６８に記載のアーティクル。
【請求項７１】
コロイド粒子に固定された複数の信号伝達エンティティを含む、請求項６８に記載のアーティクル。
【請求項７２】
少なくとも２個の粒子がそれぞれ神経変性疾病凝集体形成または原繊維形成種を結合する結合種に固定されている、請求項７に記載の系。
【請求項７３】
少なくとも２個の粒子がそれぞれ、粒子に固定され、原繊維または凝集体を結合する結合種によって原繊維または凝集体に対して固定化されている、請求項６に記載の系。
【請求項７４】
少なくとも２個の粒子に対して固定化されている原繊維または凝集体より成り、少なくとも１個の粒子が第２の原繊維または凝集体に対して固定化されている、請求項７３に記載の系。
【請求項７５】
粒子および原繊維または凝集体がヒトの肉眼で見える構造体を形成する、請求項７４に記載の系。
【請求項７６】
凝集体または原繊維を結合種に固定可能な複数のコロイドに曝露することと、それによってコロイドを原繊維または凝集体に結合することを含む、請求項１０に記載の方法。
【請求項７７】
コロイドの添加によって原繊維または凝集体を目視検出可能にすることを含む、請求項７６に記載の方法。
【請求項７８】
表面が粒子の表面であって、
前記表面に固定化された結合種を持つ複数の粒子を供給することと；
前記粒子をサンプルに曝露することと；
を含む、請求項９に記載の方法。
【請求項７９】
サンプル中に存在する神経変性疾病凝集体形成または原繊維形成種を示す、粒子の凝集範囲を決定することをさらに含む、請求項７８に記載の方法。
【請求項８０】
表面が粒子の表面であって、
粒子の表面に固定されている、または固定されるように改変された複数の粒子および結合種を供給することと；
前記粒子および結合種をサンプルに曝露することと；
を含む、請求項９に記載の方法。
【請求項８１】
結合種およびサンプルが多様な生物種より由来する、請求項７９に記載の方法。
【請求項８２】
相互作用する種およびサンプルが多様な生物種より由来する同一のタンパク質またはタンパク質フラグメントである、請求項８１に記載の方法。
【請求項８３】
粒子の凝集範囲を決定することをさらに含む、請求項７９に記載の方法。
【請求項８４】
サンプルが神経変性疾病凝集体形成または原繊維形成種を含み、
曝露ステップが神経変性疾病原繊維または凝集体形成を阻害すると考えられる候補薬剤の存在下で粒子および結合種をサンプルに曝露することを含む、請求項８３に記載の方法。
【請求項８５】
サンプルが細胞から分泌される、請求項８４に記載の方法。
【請求項８６】
粒子の凝集範囲を決定することをさらに含む、請求項８５に記載の方法。
【請求項８７】
最初にサンプルを分泌する細胞を、神経変性疾病を阻害すると考えられる候補薬剤に曝露させることと、次に粒子および結合種を前記サンプルに曝露させることを含む、請求項８６に記載の方法。
【請求項８８】
薬剤が、神経変性疾病に関連する活性を備えた酵素を阻害すると考えられる、請求項８７に記載の方法。
【請求項８９】
候補薬剤がβ−分泌酵素を阻害すると考えられる、請求項８８に記載の方法。
【請求項９０】
候補薬剤がγ−分泌酵素を阻害すると考えられる、請求項８８に記載の方法。
【請求項９１】
曝露ステップが、１−３８〜１−４４のアミノ酸配列を含むβ−アミロイドの存在下で粒子をサンプルに曝露することを含む、請求項８４に記載の方法。
【請求項９２】
β−アミロイドペプチドが１−４０のアミノ酸配列を含む、請求項９１に記載の方法。
【請求項９３】
曝露ステップが、神経変性疾病に関連すると考えられるサンプルから得た生物試料に粒子を曝露させることを含む、請求項７９に記載の方法。
【請求項９４】
試料を粒子および結合種に曝露することを含む、請求項９３に記載の方法。
【請求項９５】
サンプルが血液サンプルを含む、請求項９３に記載の方法。
【請求項９６】
サンプルをヒト患者より採取する、請求項９３に記載の方法。
【請求項９７】
サンプルを動物より採取する、請求項９３に記載の方法。
【請求項９８】
サンプルを家畜より採取する、請求項９３に記載の方法。
【請求項９９】
サンプルを家畜飼料より採取する、請求項９３に記載の方法。
【請求項１００】
サンプルを臓器提供サンプルより採取する、請求項９３に記載の方法。
【請求項１０１】
粒子をサンプルに曝露したときに、目視可能なサンプルの変化を観察することをさらに含む、請求項７９に記載の方法。
【請求項１０２】
目視可能な変化が粒子の凝集を含む、請求項１０１に記載の方法。
【請求項１０３】
目視可能な変化が金コロイド粒子の凝集を含む、請求項１０２に記載の方法。
【請求項１０４】
目視可能な変化が色の変化を含む、請求項１０１に記載の方法。
【請求項１０５】
サンプルに粒子を曝露させるときに、光散乱装置を使用して有効粒子／凝集サイズの変化を測定することをさらに含む、請求項７９に記載の方法。
【請求項１０６】
サンプルの画像をデジタル化することと、次にパターン認識を使用してどのサンプルが凝集体を含んでいるかを判定することを含む、請求項７９に記載の方法。
【請求項１０７】
表面以外に固定化された補助凝集体形成または原繊維形成種がない場合に、補助凝集体または原繊維形成種が存在しない場合の凝集を補助凝集体または原繊維形成種が存在する場合の凝集と比較可能な時間内に、粒子上または粒子曝露時の粒子凝集が十分に阻害される表面濃度において、結合種が粒子の表面に対して固定化されている、請求項９３に記載の方法。
【請求項１０８】
結合種とサンプル中に存在するすべての凝集体形成または原繊維形成種との相互作用を判定することをさらに含む、請求項９に記載の方法。
【請求項１０９】
結合種およびサンプルが多様な生物種である、請求項９に記載の方法。
【請求項１１０】
凝集体形成または原繊維形成種に結合する粒子に対して固定化された結合種の存在下で、サンプルに表面を曝露することを含む、請求項９に記載の方法。
【請求項１１１】
粒子が補助信号伝達エンティティを備えている、請求項１１０に記載の方法。
【請求項１１２】
補助信号伝達エンティティが、ワサビダイコンペルオキシダーゼおよびアルカリホスファターゼを含む、染料、色素、電子活性粒子、蛍光部分、アップレギュレーションリン光体、酵素固定信号伝達部分を含む、請求項１１０に記載の方法。
【請求項１１３】
表面が電極表面であり、粒子が前記表面に固定化された電子活性種を備えている、請求項１１０に記載の方法。
【請求項１１４】
粒子が複数の固定化された電子活性種を備えている、請求項１１３に記載の方法。
【請求項１１５】
複数の電子活性種がメタロセンを含む、請求項１１４に記載の方法。
【請求項１１６】
複数の電子活性種がフェロセンを含む、請求項１１４に記載の方法。
【請求項１１７】
アーティクルが磁気ビードである、請求項９に記載の方法。
【請求項１１８】
アーティクルがＳＰＲチップである、請求項９に記載の方法。
【請求項１１９】
アーティクルが電極である、請求項９に記載の方法。
【請求項１２０】
アーティクルがＥＬＩＳＡプレートである、請求項９に記載の方法。
【請求項１２１】
表面が複数の個別および空間的に位置指定可能な領域を含む、請求項９に記載の方法。
【請求項１２２】
個別および空間的に位置指定可能な領域が多ウェルプレートの別個のウェルを含む、請求項１２１に記載の方法。
【請求項１２３】
神経変性疾病を阻害する候補薬剤の存在下で、表面にサンプルを曝露することを含む、請求項９に記載の方法。
【請求項１２４】
さらに、候補薬剤の存在による、凝集体形成または原繊維形成種と表面固定化結合種との相互作用の低下を観察することを含む、請求項１２３に記載の方法。
【請求項１２５】
サンプルが凝集体形成または原繊維形成種を含んでいても、含んでいなくてもよい、請求項９に記載の方法。
【請求項１２６】
サンプルが凝集体形成または原繊維形成種を含む薬剤スクリーニング調製物である、請求項９に記載の方法。
【請求項１２７】
表面が粒子表面であり、
結合種、結合種に固定された粒子および固定種に固定可能な磁気ビードを含む、流体溶媒中に懸濁した組成物を作成することと；
前記組成物をサンプルに曝露することと；
を含む、請求項９に記載の方法。
【請求項１２８】
粒子および／または磁気ビードが固定化キレートを備え、少なくとも一部の結合種がキレートによって配位される金属に固定可能な金属結合タグを備えている、請求項１２５に記載の方法。
【請求項１２９】
各粒子およびビードの少なくとも一部が結合種に固定されている、請求項１２７に記載の方法。
【請求項１３０】
組成物が、粒子に固定されている、または固定可能な酸化還元活性種をさらに含む、請求項１２７に記載の方法。
【請求項１３１】
神経変性疾病凝集体形成または原繊維形成種を含むと考えられるサンプルに組成物を曝露することをさらに含む、請求項１２７に記載の方法。
【請求項１３２】
神経変性疾病凝集体形成または原繊維形成種および神経変性疾病を阻害する候補薬剤を含むサンプルに組成物を曝露することをさらに含む、請求項１２７に記載の方法。
【請求項１３３】
酸化還元活性剤を含む粒子に固定された凝集体形成または原繊維形成種に固定された少なくとも一部の磁気ビードを電極に引きつけることと；
電極に近接した酸化還元活性剤の有無を判定することと；
をさらに含む、請求項１３１に記載の方法。
【請求項１３４】
電極が非特異結合性の阻害剤によってコートされている、請求項１３３に記載の方法。
【請求項１３５】
非特異結合性の阻害剤が自己集合単層を含む、請求項１３４に記載の方法。
【請求項１３６】
自己集合単層がポリエチレングリコール末端自己集合単層形成種を含む、請求項１３５に記載の方法。
【請求項１３７】
自己集合単層が、電子に対する自己集合単層の透過性を向上させる種をさらに含む、請求項１３５に記載の方法。
【請求項１３８】
電子に対する透過性を向上させる種が、導電性自己集合単層形成種を含む、請求項１３７に記載の方法。
【請求項１３９】
電子に対する透過性を向上させる種が、自己集合単層の欠陥部位を生じさせる種を含む、請求項１３７に記載の方法。
【請求項１４０】
信号伝達エンティティが複数の信号伝達エンティティである、上述の請求項のいずれかに記載の組成物、アーティクル、方法、系またはキット。
【請求項１４１】
結合種に他の結合種を神経変性疾病凝集体形成または原繊維形成種に変換させることを含む、請求項１１に記載の方法。
【請求項１４２】
結合種に神経変性疾病凝集体形成または原繊維形成種と相互作用させることと、それによって神経変性疾病凝集体形成または原繊維形成種に構造変換させることと、次に前記種を他の結合種に変換させることを含む、請求項１４１に記載の方法。
【請求項１４３】
神経変性疾病凝集体形成または原繊維形成種でない、表面以外に結合した補助結合種に系を曝露することと、
前記補助結合種を神経変性凝集体形成または原繊維形成種に変換させることと、
を含む、請求項１１に記載の方法。
【請求項１４４】
結合種が最初にアーティクルの表面に固定される、請求項１１に記載の方法。
【請求項１４５】
結合種が最初にアーティクルの表面に固定されない、請求項１１に記載の方法。
【請求項１４６】
結合種および神経変性疾病凝集体形成または原繊維形成種が異なる生物分類種に由来する、請求項１３に記載の方法。
【請求項１４７】
表面を自己集合単層形成分子種および界面活性剤を含む媒体に曝露することによって、表面上に自己集合単層を作成することを含む方法。
【請求項１４８】
表面を自己集合単層形成分子種およびカルボン酸塩を含む媒体に曝露することによって、表面上に自己集合単層を作成することを含む方法。
【請求項１４９】
コロイド粒子の表面上に、コロイド粒子自体の形成時以外に、自己集合単層を作成することを含む方法。
【請求項１５０】
流体中で懸濁状態にあるコロイド粒子の表面上に自己集合単層を作成することより成り、前記粒子が流体−流体界面に存在していない方法。
【請求項１５１】
自己集合単層形成分子種および界面活性剤を含む媒体が溶液または懸濁液である、請求項１４７または１４８に記載の方法。
【請求項１５２】
表面上に自己集合単層を作成した後に、自己集合単層から残留界面活性剤をすべて除去することをさらに含む、請求項１４７に記載の方法。
【請求項１５３】
神経変性疾病凝集体または原繊維形成種をそれぞれ結合可能であって、相互に固定化された、または相互に固定化されるように改変された少なくとも２個の結合種を供給することと、それによって神経変性疾病凝集体または原繊維リンカーを規定することと；
前記リンカーを、神経変性疾病凝集体または原繊維種を含むと考えられるサンプルあるいは神経変性疾病を阻害する候補薬剤を含む溶液に曝露することと；
を含む方法。
【請求項１５４】
神経変性疾病凝集体または原繊維形成種を分泌するよう改変された細胞を、神経変性疾病を阻害する候補薬剤に曝露することと、
神経変性疾病に特徴的な凝集体を形成する細胞から分泌される物質のポテンシャルを監視することと、
を含む方法。
【請求項１５５】
神経変性疾病凝集体形成または原繊維形成種を結合可能な種および神経変性疾病凝集体または原繊維形成を阻害する候補薬剤のための神経変性疾病凝集体または原繊維形成種を含むと考えられる１個のサンプルを含む溶液を作成することと、
成分を前記溶液に移したり、容器から溶液を取り出したりせずに、神経変性疾病に特徴的な溶液中の凝集体を検出することと、
を含む方法。
【請求項１５６】
エネルギーを流体に導入することを含む、請求項１７２に記載の方法。
【請求項１５７】
原繊維または凝集体を見えるようにすることを含む、上述の請求項のいずれかに記載の方法。
【請求項１５８】
アーティクルが溶液に懸濁可能な粒子である、上述の請求項のいずれかに記載のアーティクル、方法、キット、系または組成物。
【請求項１５９】
アーティクルが磁気的に懸濁可能な粒子である、上述の請求項のいずれかに記載のアーティクル、方法、キット、系または組成物。
【請求項１６０】
アーティクルが自己懸濁可能な粒子である、上述の請求項のいずれかに記載のアーティクル、方法、キット、系または組成物。
【請求項１６１】
結合種が表面に特異的に固定されている、または特異的に固定されるように改変される、上述の請求項のいずれかに記載の方法、アーティクル、系、キットまたは組成物。
【請求項１６２】
サンプルが天然型サンプルである、上述の請求項のいずれかに記載の方法、アーティクル、系、キットまたは組成物。
【請求項１６３】
サンプルが構造的に既定されたサンプルである、上述の請求項のいずれかに記載の方法、アーティクル、系、キットまたは組成物。
【請求項１６４】
表面を持つ第１のアーティクルと；
表面を持つ第２のアーティクルと；
神経変性疾病凝集体形成または原繊維形成種を結合可能な複数の結合種と；
を含むキットであり、
前記結合種の少なくとも一部が、第１のアーティクルの表面に固定されている、または固定されるように改変され、前記結合種の少なくとも一部が、第２のアーティクルの表面に固定されている、または固定されるように改変されており、
該キットが、電気的検出または電気化学的検出に適合している、上記キット。
【請求項１６５】
ＳＰＲアーティクルではない、表面を持つアーティクルと；
神経変性疾病凝集体形成または原繊維形成種を結合可能な複数の結合種と；
を含むキットであり、
前記結合種の少なくとも一部が、該表面に固定されている、または固定されるように改変され、
該キットが、電気的検出または電気化学的検出に適合している、上記キット。
【請求項１６６】
表面を持つアーティクルと；
神経変性疾病凝集体形成または原繊維形成種を結合可能な複数の結合種と；
を含むキットであり、
前記結合種の少なくとも一部が、該表面に固定されている、または固定されるように改変され、
前記表面が凝集体形成または原繊維形成種の非特異性結合を実質的に阻害する化学機能性を備えており、
該キットが、電気的検出または電気化学的検出に適合している、上記キット。
【請求項１６７】
第１の表面を持つアーティクルと、前記表面に固定されている、または固定されるように改変された神経変性疾病凝集体形成または原繊維形成種を結合可能な複数の結合種とを供給することと；
前記第１の表面を神経変性疾病凝集体形成または原繊維形成種を含むと考えられるサンプルに曝露することと；
曝露工程に起因する電気的信号または電気化学的信号を検出することと；
を含む方法。
【請求項１６８】
神経変性疾病凝集体形成または原繊維形成種を含むサンプル中で神経変性疾病凝集体または原繊維を形成することと；
前記凝集体または原繊維を、表面と、凝集体、原繊維、凝集体形成種または原繊維形成種を結合可能な複数の結合種とを備えたアーティクルに、曝露することと、ここで、前記結合種は、前記アーティクルの表面に固定されている、または固定されるように改変されている；
曝露工程に起因する電気的信号または電気化学的信号を検出することと；
を含む方法。